(57)【要約】      （修正有）【課題】利用者による入金機への入金が、自動締め処理が実行される時刻に間に合うようにする。【解決手段】入金された貨幣を管理する入金機であって、入金機に入金された貨幣を集計して所定の管理を行う締め処理を予め設定された開始時刻に行う締め処理部と、開始時刻の所定時間前に、入金機を利用する利用者に対して、開始時刻に関する報知を行う報知部とを備える。また、前記開始時刻を制御する開始時刻制御部と、前記利用者からの操作を受け付ける受付部とを備え、前記開始時刻制御部は、予め設定された前記閉め処理の開始時刻である第１の時刻の前に、前記受付部が前記利用者から所定操作を受け付けた場合に、前記開始時刻を遅らせる遅延処理を行う。【選択図】図４
2015001806.tif 000002
【特許請求の範囲】
【請求項１】
入金された貨幣を管理する入金機であって、
前記入金機に入金された貨幣を集計して所定の管理を行う締め処理を予め設定された開始時刻に行う締め処理部と、
前記開始時刻の所定時間前に、前記入金機を利用する利用者に対して、前記開始時刻に関する報知を行う報知部と
を備える入金機。
【請求項２】
請求項１記載の入金機であって、
前記開始時刻を制御する開始時刻制御部と、
前記利用者からの操作を受け付ける受付部とを備え、
前記開始時刻制御部は、予め設定された前記締め処理の開始時刻である第１の時刻の前に、前記受付部が前記利用者から所定操作を受け付けた場合に、前記開始時刻を遅らせる遅延処理を行う
入金機。
【請求項３】
請求項２記載の入金機であって、
前記開始時刻制御部は、前記第１の時刻の前記所定時間前から前記第１の時刻までの間に、前記受付部が前記利用者から前記所定操作を受け付けた場合に、前記遅延処理を行う
入金機。
【請求項４】
請求項２または請求項３に記載の入金機であって、
前記遅延処理は、前記開始時刻を、前記第１の時刻から予め設定された所定時間遅らせる処理である
入金機。
【請求項５】
請求項２または請求項３に記載の入金機であって、
前記遅延処理は、前記開始時刻を、前記所定操作を行った利用者が入金を終了したタイミング以降に遅らせる処理である
入金機。
【請求項６】
請求項１から請求項５のいずれか一項に記載の入金機であって、
前記報知部は、前記利用者が利用する端末の画面に、前記開始時刻に関する情報を表示させることによって報知する
入金機。
【請求項７】
入金管理システムであって、
入金された貨幣を管理する入金機と、
前記入金機に入金された貨幣を集計して所定の管理を行う締め処理を予め設定された開始時刻に行う締め処理部と、
前記締め処理部が前記締め処理を開始する開始時刻を制御する開始時刻制御部と、
前記開始時刻の所定時間前に、前記入金機を利用する利用者に対して、前記開始時刻に関する報知を行う報知部と
を備える入金管理システム。
【発明の詳細な説明】
【技術分野】
【０００１】
本発明は、入金機に関する。
【背景技術】
【０００２】
本技術分野の背景技術として、特開平１１−２８８４８２号公報（特許文献１）がある。この公報には、入金された売上金に対して自動で締め処理を行うとともに、入金を行う利用者が必要に応じて手動で締め処理を行うことが可能な入金機が開示されている。締め処理とは、所定の期間内に入金機に入金された貨幣を集計し所定の管理をする処理である。自動締め処理とは、予め定められた時刻に入金機が行う締め処理である。手動締め処理は、利用者等による操作によって入金機が行う締め処理である。
【先行技術文献】
【特許文献】
【０００３】
【特許文献１】特開平１１−２８８４８２号公報
【発明の概要】
【発明が解決しようとする課題】
【０００４】
入金機が自動締め処理を実行する時刻までに、利用者が売上金を入金することが間に合わない場合がある。入金機が自動締め処理を行う時刻を利用者が忘れてしまうことが一つの原因として挙げられる。従来、自動締め処理が行われる時刻までに入金が間に合わない場合、利用者は売上金を入金し、管理者等が手動締め処理を行うことによって、売上金を当日の締め（集計）に含めていた。しかし、利用者が管理者に連絡を取れないときには、当日の売上金を当日の締め（集計）に含めることができないと言った問題が指摘されていた。
そこで、本発明においては、利用者による入金機への入金が、自動締め処理が実行される時刻に間に合うようにする技術を提供する。
【課題を解決するための手段】
【０００５】
上記課題を解決するために、本発明の入金機は、自動締め処理を開始する開始時刻の所定時間前に、利用者に対して開始時刻に関する報知を行う。また、本発明の入金機は、所定の条件下において、自動締め処理の開始時刻を遅らせる。
【発明の効果】
【０００６】
利用者による入金機への入金が、締め処理を行う時刻に遅れることを抑制することができる。
上記した以外の課題、構成および効果は、以下の実施形態の説明により明らかにされる。
【図面の簡単な説明】
【０００７】
【図１】実施例１の売上金入金システムの構成を示す説明図である。
【図２】売上金入金機の構成を示す説明図である。
【図３】制御部の制御ブロック図である。
【図４】締め制御処理の流れを示すフローチャートである。
【図５】第１画像を示す説明図である。
【図６】自動締め開始時刻接近の警告表示を示す説明図である。
【図７】実施例２の締め制御処理の流れを示すフローチャートである。
【図８】実施例２の締め制御処理の流れを示すフローチャートである。
【図９】自動締め開始時刻接近の警告表示を示す説明図である。
【図１０】認証用指示画像を示す説明図である。
【図１１】遅延リストのデータ構造を示す説明図である。
【図１２】遅延設定者一覧画像を示す説明図である。
【図１３】遅延キャンセル用画像を示す説明図である。
【図１４】延長中画像を示す説明図である。
【図１５】入金処理の流れを示すフローチャートである。
【図１６】実施例３の締め制御処理の流れを示すフローチャートである。
【図１７】実施例３の締め制御処理の流れを示すフローチャートである。
【図１８】自動締め開始時刻接近の警告表示を示す説明図である。
【図１９】認証用指示画像を示す説明図である。
【図２０】入金予約者一覧画像を示す説明図である。
【図２１】入金予約キャンセル用画像を示す説明図である。
【図２２】延長中画像を示す説明図である。
【発明を実施するための形態】
【０００８】
［実施例１］
（１−１）システム構成：
図１は、本発明の実施例１としての売上金入金システム１０の構成を示す説明図である。売上金入金システム１０は、売上金の管理対象である店舗１２が備える各種機器と、通信網１３と、店舗１２の売上金を管理する運用会社のサーバー１４とを備える。本実施例においては、通信網１３はインターネットである。通信網１３は、インターネットに限定するものではなく、例えばイントラネットや電話回線など、信号を送受信可能な種々の回線を採用することができる。
【０００９】
店舗１２には、通信装置１５と、端末１６と、端末１７と、売上金入金機２０とが配置されている。各機器は、店舗１２内で通信を行うためのイントラネットを通じて接続されている。通信装置１５は、店舗１２のイントラネットと通信網１３との通信接続を行う。端末１６および端末１７は、顧客に対して精算を行うためのレジスター端末である。説明の便宜上、店舗１２は端末を２台（端末１６,１７）備えるとして説明するが、店舗１２はさらに多くの端末を備えるとしてもよい。
【００１０】
売上金入金機２０は、店舗１２において一日に売り上げられた貨幣を集計し、所定のセキュリティーの下で保管する。なお、本説明においては、貨幣とは紙幣と硬貨とを含む概念として用いる。端末１６を扱う担当者（利用者）および端末１７を扱う担当者（利用者）は、店舗１２の営業時間の終了後や、各端末を扱う担当を交代した際など、必要に応じて端末１６、端末１７に収容されている貨幣を売上金入金機２０へ入金する。売上金入金機２０は、予め設定された所定時刻になると、締め処理を行う。売上金入金機２０が予め設定されたプログラムによって自動で行う締め処理を「自動締め処理」と呼ぶ。
【００１１】
具体的には、売上金入金機２０は、自動締め処理として、所定時刻になると、端末１６、端末１７の利用者によって入金された売上金を集計し、各端末での売上金額（端末売上金額）と、各端末売上金額を合計した総売上金額を算出する。売上金入金機２０は、各端末売上金額の情報と総売上金額の情報とを含む締めデータを作成する。売上金入金機２０は、作成した締めデータを通信網１３を介してサーバー１４に送信する。サーバー１４は、売上金入金機２０から締めデータを受信し記憶する。サーバー１４が締めデータを受信すると、運用会社は、店舗１２から総売上金額に相当する売上金が運用会社に入金されたものとして扱い、店舗１２が所有する金融機関口座に総売上金に相当する金額の送金を行う。
【００１２】
図２は、売上金入金機２０の構成を示す説明図である。売上金入金機２０は、画面表示部２２と、カード読取部２３と、紙幣入金口２４と、硬貨入金口２５と、キー入力部２６と、紙幣収容部２７と、硬貨収容部２８と、スピーカー部２９と、制御部３０とを備える。制御部３０は、売上金入金機２０の動作を制御する。画面表示部２２は、利用者に対して各種情報を表示する。カード読取部２３は、利用者が保有する入金用カード５１および締め用カード５２に記憶された情報を読取る。
【００１３】
紙幣入金口２４は、利用者が入金する紙幣を受け付ける。紙幣収容部２７は、利用者の入金によって紙幣入金口２４が受け付けた紙幣を収容する。硬貨入金口２５は、利用者が入金する硬貨を受け付ける。硬貨収容部２８は、利用者の入金によって硬貨入金口２５が受け付けた硬貨を収容する。キー入力部２６は、利用者が売上金入金機２０に対して種々の入力を行うための操作部である。スピーカー部２９は、利用者に対して音声案内や報知を行う。
【００１４】
入金用カード５１は、入金を行う利用者を認証するためのカードである。入金用カード５１は、入金を行う各利用者に保有される。入金用カード５１はＩＣチップを備えており、各利用者に固有の情報（固有情報）を記憶している。制御部３０は、カード読取部２３が読み取った利用者の固有情報を用いて、入金を行う利用者を特定する。
【００１５】
締め用カード５２は、手動で締め処理を売上金入金機２０に行わせる利用者の認証を行うためのカードである。締め用カード５２は、売上金入金機２０の装置管理者に保有される。締め用カード５２はＩＣチップを備えており、売上金入金機２０の装置管理者に固有の情報（固有情報）を記憶している。制御部３０は、カード読取部２３が読み取った装置管理者の固有情報を用いて、装置管理者の認証を行う。なお、本実施例では、入金用カード５１および入金用カード５１は各種情報を記憶する記憶部としてＩＣチップを備えるとしたが、磁気ストライプを備えるとしてもよい。
【００１６】
図３は、制御部３０の制御ブロック図である。制御部３０は、主制御部３１と、画面制御部３２と、キー入力処理部３３と、紙幣制御部３４と、硬貨制御部３５と、音声制御部３６と、カードデータ処理部３７と、通信制御部３８とを備える。制御部３０は、ＣＰＵと、ＲＡＭと、ＲＯＭと、ハードディスクとを備える。ＣＰＵがＲＯＭに記憶されているプログラムを実行することによって、制御部３０は図３に示す各制御部・処理部として機能する。
【００１７】
主制御部３１は、売上金入金機２０全体の動作を制御する。画面制御部３２は、画面表示部２２を制御する。キー入力処理部３３は、利用者からのキー入力部２６を介した入力を受付ける。主制御部３１は、キー入力処理部３３が受け付けた入力内容に応じた処理を行う。
【００１８】
紙幣制御部３４は、売上金入金機２０が備える紙幣搬送機構や各種センサ（図示省略）を制御することによって、紙幣入金口２４に投入された紙幣を売上金入金機２０内に取り込んで計数し、その後、紙幣収容部２７に収容する。硬貨制御部３５は、硬貨搬送機構や各種センサ（図示省略）を制御することによって、硬貨入金口２５に投入された硬貨を売上金入金機２０内に取り込んで計数し、その後、硬貨収容部２８に収容する。
【００１９】
音声制御部３６は、スピーカー部２９による音声の出力動作を制御する。カードデータ処理部３７は、カード読取部２３が読み取った情報に基づいて入金用カード５１または締め用カード５２に記録されている情報を取得する。主制御部３１は、カードデータ処理部３７が取得した情報に基づいて、利用者または装置管理者の特定および認証を行う。通信制御部３８は、売上金入金機２０の外部との間におけるデータの送受信制御を行う。
【００２０】
（１−２）締め制御処理：
図４は、制御部３０が行う締め制御処理の流れを示すフローチャートである。締め制御処理は、売上金入金機２０が行う自動締め処理を制御するための処理である。締め制御処理は、売上金入金機２０の起動と共に開始される。締め制御処理が開始されると、制御部３０は、画面表示部２２に待ち受け用の第１画像６１を表示させる（ステップＳ１０２）。
【００２１】
図５は、第１画像６１を示す説明図である。図示するように、第１画像６１は、利用者または装置管理者に対して入金用カード５１または締め用カード５２をカード読取部２３にセットするように促す案内表示６２を表示する。また、第１画像６１は、必要に応じて利用者または装置管理者に各種案内を表示するガイダンス表示エリア６３を備える。
【００２２】
画面表示部２２に第１画像６１を表示後、制御部３０は、自動締め処理を開始する時刻（締め処理開始時刻）の所定時間前まで、第１画像６１を表示した状態で待機する（ステップＳ１０４：ＮＯ）。締め処理開始時刻は、制御部３０に予め設定されている。本実施例においては、締め処理開始時刻は２０：３０に設定されている。制御部３０は、２０：３０の３０分前まで、第１画像６１を表示した状態で待機する。制御部３０は、待機中に利用者から入金があった場合には、随時、入金処理として入金を受け付け、紙幣制御部３４および硬貨制御部３５の制御によって、売上金としての紙幣および硬貨を、紙幣収容部２７および硬貨収容部２８に収容する。制御部３０は、締め処理開始時刻の３０分前になると（ステップＳ１０４：ＹＥＳ）、締め処理開始時刻が接近していることを利用者に報知する（ステップＳ１０６）。
【００２３】
制御部３０による報知方法を説明する。制御部３０は、図６に示すように、第１画像６１のガイダンス表示エリア６３に「２０：３０に自動締めを実施します。それまでに必要分の入金を確定させて下さい。」と言う警告表示を表示させる。また、制御部３０は、第１画像６１の背景色を、待ち受け用の第１画像６１（図５参照）と異なる色に設定する。第１画像６１の背景色を待ち受け用の第１画像６１と異なる色に設定することによって、利用者に対して警告表示を認識しやすくする。その後、制御部３０は、締め処理開始時刻になるまで図６に示す警告表示の表示を継続する（ステップＳ１０８：ＮＯ）。
【００２４】
締め処理開始時刻になると（ステップＳ１０８：ＹＥＳ）、制御部３０は、締め処理開始時刻接近の報知を停止すると共に自動締め処理を開始・実行し、第１画像６１の表示を通常の表示（図５参照）に戻す（ステップＳ１１０）。制御部３０は、自動締め処理として、利用者によって入金された売上金を集計し、各端末での売上金額（端末売上金額）と、各端末売上金額を合計した総売上金額を算出する。そして、制御部３０は、各端末売上金額と総売上金額とに基づいて締めデータを作成し、通信網１３を介してサーバー１４に送信する。その後、制御部３０は締め制御処理を終了する。制御部３０は、売上金入金機２０が停止するまで、ステップＳ１０２〜Ｓ１１０までの処理を繰り返し行う（ステップＳ１１２）。
【００２５】
以上説明したように、制御部３０は、締め処理の開始時刻の３０分前に締め処理開始時刻の接近を報知するので、自動締め処理が開始される前に利用者に対して締め処理開始時刻を認識させることができる。従って、売上金入金機２０は、利用者による売上金入金機２０への入金が、自動締め処理が開始される締め処理開始時刻に遅れることを抑制することができる。
【００２６】
［実施例２］
次に、本発明に係る実施例２について説明する。実施例１と実施例２との異なる点は、締め制御処理の処理内容である。実施例１と実施例２とは、売上金入金システム１０のシステム構成は同じであるので、売上金入金システム１０のシステム構成についての説明は省略する。
【００２７】
図７および図８は、実施例２における締め制御処理の流れを示すフローチャートである。締め制御処理は、売上金入金機２０の起動と共に開始される。締め制御処理を開始すると、制御部３０は、画面表示部２２に第１画像６１（図５参照）を表示させる（ステップＳ２０２）。制御部３０は、締め処理開始時刻の３０分前になると（ステップＳ２０４：ＹＥＳ）、締め処理開始時刻が接近していることを利用者に報知する（ステップＳ２０６）。また、制御部３０は、締め処理開始時刻として予め設定されている時刻を規定締め時刻に設定する（ステップＳ２０８）。本実施例においては、制御部３０は、２０：００になると、締め処理開始時刻が接近していることを利用者に報知し、規定締め時刻として「２０：３０」を設定する。
【００２８】
制御部３０による報知方法を説明する。制御部３０は、図９に示すように、第１画像６１のガイダンス表示エリア６３に「２０：３０に自動締めを実施します。それまでに必要分の入金を確定して下さい。」と言う警告表示を表示させる。また、制御部３０は、利用者が締め処理開始時刻を遅らせるための設定（以下、遅延設定とも呼ぶ）を行うための操作画像（以下、遅延操作画像６４とも呼ぶ）を、ガイダンス表示エリア６３に表示する。さらに、制御部３０は、第１画像６１の背景色を、待ち受け用の第１画像６１（図５参照）と異なる色に設定する。第１画像６１の背景色を待ち受け用の第１画像６１と異なる色に設定することによって、利用者に対して警告表示を認識しやすくする。
【００２９】
説明を図７に戻す。締め処理開始時刻が接近していることを利用者に報知した後、制御部３０は、利用者が遅延設定の操作を行ったか否かの判断をする（ステップＳ２１０）。具体的には、利用者が遅延操作画像６４（図９参照）に従ってキー入力部２６の「＊」キーを操作すると、制御部３０は、以下に説明する図１０の認証用指示画像を画面表示部２２に表示する。認証用指示画像の指示に従って利用者が行う操作によって、制御部３０は、利用者による遅延設定の有無について判断をする。
【００３０】
図１０は、認証用指示画像を示す説明図である。図示するように、制御部３０は画面表示部２２に認証用指示画像を表示することによって、利用者の入金用カード５１をカード読取部２３にセットするか、入金用カード５１のカードＮＯをキー入力部２６によって入力するか、もしくは、キャンセルボタンを操作するかのいずれかの操作を利用者に行うように指示する。
【００３１】
利用者が、入金用カード５１をカード読取部２３にセットした場合、または、キー入力部２６を介して入金用カード５１のカードＮＯを入力した場合には、制御部３０は、遅延設定が行われたと判断し（ステップＳ２１０：ＹＥＳ）、締め処理開始時刻を、規定締め時刻から１０分延長した時刻に設定する（ステップＳ２１２）。すなわち、本実施例においては、制御部３０は、締め処理開始時刻を、規定締め時刻である２０：３０から１０分延長した２０：４０に設定する。
【００３２】
その後、制御部３０は、遅延設定を行った利用者の入金用カード５１のカードＮＯを遅延リストとして登録する（ステップＳ２１４）。遅延リストは、制御部３０が備えるハードディスク（図示省略）に格納されている。図１１は、制御部３０が記憶する遅延リストのデータ構造を説明する説明図である。図示するように、遅延リストには、遅延設定を行った利用者の入金用カード５１のカードＮＯが記録されている。
【００３３】
制御部３０は、利用者が遅延操作画像６４（図９参照）に従って「Ｃ」キーを操作した場合には、遅延リストに対応する遅延設定者一覧画像を画面表示部２２に表示する。図１２は、遅延設定者一覧画像を示す説明図である。図示するように、遅延設定者一覧画像には、遅延リストに対応する遅延設定者のカードＮＯが表示されている。
【００３４】
ステップＳ２１６（図７参照）において、利用者が遅延操作画像６４（図９）に従ってキー入力部２６が備えるキャンセルボタンを操作した場合（ステップＳ２１６：ＹＥＳ）、制御部３０は、遅延リストから、キャンセルボタンを操作した利用者の入金用カード５１のカードＮＯを削除する（ステップＳ２１８）。
【００３５】
具体的には、利用者がキャンセルボタンを操作すると、制御部３０は、図１３の遅延キャンセル用画像を画面表示部２２に表示させる。図１３は、遅延キャンセル用画像を示す説明図である。図示するように、制御部３０は、遅延キャンセル用画像を表示することによって、利用者の入金用カード５１をカード読取部２３にセットするか、入金用カード５１のカードＮＯをキー入力部２６によって入力するか、もしくは、キャンセルボタンを操作するかのいずれかの操作を利用者に行うように指示する。利用者が入金用カード５１のセットまたはカードＮＯの入力を行った場合には、制御部３０は、遅延リストから利用者の入金用カード５１のカードＮＯを削除する。
【００３６】
制御部３０は、利用者が入金の操作を行った場合には（ステップＳ２１９：ＹＥＳ）、入金処理を行う（ステップＳ２２０）。入金処理については、後で詳しく説明する。制御部３０は、規定締め時刻（２０：３０）になるまで、ステップＳ２１０〜ステップＳ２２０の処理を繰り返し行う（ステップＳ２４２：ＮＯ）。
【００３７】
制御部３０は、規定締め時刻になると（ステップＳ２４２：ＹＥＳ）、遅延リストを読み込み、遅延リストへの登録件数が０件であるか確認する（図８：ステップＳ２４４）。遅延リストへの登録件数が０件の場合（ステップＳ２４４：ＹＥＳ）、制御部３０は、締め処理開始時刻接近の報知を停止すると共に自動締め処理を開始・実行し、第１画像６１の表示を通常の表示（図５参照）に戻す（ステップＳ２７０）。
【００３８】
一方、遅延リストに遅延設定をした利用者の入金用カード５１のカードＮＯが登録されている場合（ステップＳ２４４：ＮＯ）、制御部３０は、締め処理を実行しないで、画面表示部２２の表示を締め処理開始時刻が遅延中であることを示す図１４の延長中画像に切り替える。図１４は、延長中画像を示す説明図である。延長中画像には、締め処理の開始を遅延させていること、および、締め処理開始時刻（規定締め時刻+１０分）までに入金を行うことを利用者に指示する内容が表示されている。また、制御部３０は、延長中画像の背景色を待ち受け用の第１画像６１（図５参照）と異なる色に設定する。延長中画像の背景色を待ち受け用の第１画像６１と異なる色に設定することによって、締め処理開始時刻が延長中であることを利用者に対して認識しやすくする。
【００３９】
その後、制御部３０は、締め処理開始時刻までに、利用者から新たな遅延設定の操作がされた場合（図８：ステップＳ２４８：ＹＥＳ）、現在時刻と締め処理開始時刻との差が１０分以内であるか確認する（ステップＳ２５０）。後述するように、締め処理開始時刻は、１０分単位で繰り返し延長させることが可能である。本実施例では、繰り返し行われる遅延設定によって、締め処理の開始が長時間延長されることを抑制するため、延長できる時刻の上限値（以下、遅延上限時刻とも呼ぶ）を定めている。本実施例においては、遅延上限時刻は、規定締め時刻から６０分遅延した時刻（２１：３０）に設定されている。現在時刻と締め処理開始時刻との差が１０分以内である場合（ステップＳ２５０：ＹＥＳ）、制御部３０は、締め処理開始時刻を更に１０分延長した時刻が、遅延上限時刻を超えているか否かの判断をする（ステップＳ２５２）。
【００４０】
締め処理開始時刻を更に１０分延長した時刻が遅延上限時刻を超えない場合（ステップＳ２５２：ＮＯ）、制御部３０は、締め処理開始時刻を１０分延長させた時刻に設定する（ステップＳ２５４）。その後、制御部３０は、遅延設定を行った利用者の入金用カード５１のカードＮＯを遅延リストに登録する（ステップＳ２５６）。
【００４１】
一方、ステップＳ２５０において現在時刻と締め処理開始時刻との差が１０分以内である場合（ステップＳ２５０：ＮＯ）、または、ステップＳ２５２において締め処理開始時刻を１０分延長すると遅延上限時刻を超える場合（ステップＳ２５２：ＹＥＳ）、制御部３０は、締め処理開始時刻を延長せずに、遅延設定を行った利用者の入金用カード５１のカードＮＯを遅延リストに登録する（ステップＳ２５６）。
【００４２】
制御部３０は、利用者から遅延設定のキャンセル操作があった場合には（ステップＳ２５８：ＹＥＳ）、キャンセル操作を行った利用者の入金用カード５１のカードＮＯを遅延リストから削除する（ステップＳ２６０）。また、利用者が入金操作を行った場合（ステップＳ２６２：ＹＥＳ）、制御部３０は、入金処理を行う（ステップＳ２６４）。ステップＳ２６４における入金処理は、上述したステップＳ２２０（図７）における入金処理と同じである。入金処理の処理内容については後で詳しく説明する。
【００４３】
制御部３０は、締め処理開始時刻になるまで、遅延リストへの登録件数が０件になっていないか監視する（ステップＳ２６６：ＮＯ→ステップＳ２６８）。締め処理開始時刻前で、かつ、遅延リストへの登録件数が０件でない場合には（ステップＳ２６８：ＮＯ）、制御部３０は、ステップＳ２４８から処理を繰り返し行う。
【００４４】
一方、締め処理時刻になった場合（ステップＳ２６６：ＹＥＳ）、または、締め処理時刻前で遅延リストへの登録件数が０件である場合（ステップＳ２６８：ＹＥＳ）、制御部３０は、自動締め処理を開始・実行し、第１画像６１の表示を通常の表示（図５参照）に戻す（ステップＳ２７０）。
【００４５】
次に、入金処理（ステップＳ２２０,ステップＳ２６４）について説明する。ステップＳ２２０における入金処理と、ステップＳ２６４における入金処理とは同じ処理であるので、本説明では、ステップＳ２２０の入金処理について説明する。
【００４６】
図１５は入金処理の流れを示すフローチャートである。入金処理は、利用者が入金用カード５１をカード読取部２３にセットし所定の操作を行った場合に開始される。入金処理が開始されると、制御部３０は、利用者からの入金を受け付ける（ステップＳ２２２）。具体的には、制御部３０は、利用者が紙幣入金口２４および硬貨入金口２５に投入した紙幣および硬貨を計数し、紙幣収容部２７および硬貨収容部２８に収容する。また、制御部３０は、利用者によって入金された金額を記憶する。
【００４７】
その後、制御部３０は、入金を行った利用者の入金用カード５１のカードＮＯが遅延リストに登録されているか確認する（ステップＳ２２４）。制御部３０は、入金を行った利用者の入金用カード５１のカードＮＯが遅延リストに登録されている場合には（ステップＳ２２４：ＹＥＳ）、利用者の入金用カード５１のカードＮＯを遅延リストから削除し（ステップＳ２２６）、入金処理を終了する。一方、入金を行った利用者の入金用カード５１のカードＮＯが遅延リストに登録されていない場合には（ステップＳ２２４：ＮＯ）、制御部３０は、遅延リストに対する処理は行わず、入金処理を終了する。
【００４８】
以上説明したように、実施例２における制御部３０は、締め処理開始時刻の３０分前から締め処理開始時刻までの間に利用者が遅延設定の操作を行った場合には、締め処理開始時刻を所定時間遅らせる。従って、予め設定された締め処理開始時刻までに利用者による入金が間に合わない場合でも、遅延後の締め処理開始時刻に入金を間に合わせることが可能となり、当日の売上金を当日の締めとして集計することを可能にする。
【００４９】
また、制御部３０は、締め処理開始時刻を遅延させている期間に、さらに利用者から遅延設定を受け付けた場合には、さらに締め処理開始時刻を遅らせる。従って、締め処理開始時刻を遅延しても入金が間に合わない利用者であっても、締め処理開始時刻の遅延中に遅延設定を行うことで、当日の自動締め処理に間に合うように入金を行うことができる。
【００５０】
また、制御部３０は、締め処理の開始時刻の３０分前に締め処理開始時刻の接近を報知し、利用者に対して締め処理開始時刻を認識させることができる。従って、売上金入金機２０は、利用者による売上金入金機２０への入金が、自動締め処理が実行される時刻に遅れることを抑制することができる。
【００５１】
［実施例３］
本発明に係る実施例３について説明する。実施例１と実施例３との異なる点は、締め制御処理の処理内容である。実施例１と実施例３とは、売上金入金システム１０のシステム構成は同じであるので、売上金入金システム１０のシステム構成についての説明は省略する。
【００５２】
実施例２および実施例３における締め制御処理は、いずれも締め処理開始時刻を遅らせる処理内容である。実施例２における締め制御処理は、締め処理開始時刻を所定の単位時間（実施例２では１０分）ずつを遅らせる処理である。一方、実施例３における締め制御処理においては、制御部３０は、入金を行うことを予め予約した利用者が締め処理開始時刻になっても入金を行っていない場合、入金を完了するまで自動締め処理の開始を遅らせる処理である。
【００５３】
図１６および図１７は、実施例３における締め制御処理の流れを示すフローチャートである。締め制御処理は、売上金入金機２０の起動と共に開始される。締め制御処理を開始すると、制御部３０は、画面表示部２２に第１画像６１（図５参照）を表示させる（ステップＳ３０２）。制御部３０は、締め処理開始時刻の３０分前になると（ステップＳ３０４：ＹＥＳ）、締め処理開始時刻が接近していることを利用者に報知する（ステップＳ３０６）。また、制御部３０は、締め処理開始時刻として予め設定されている時刻を規定締め時刻に設定する（ステップＳ３０７）。本実施例においては、制御部３０は、２０：００になると締め処理開始時刻が接近していることを利用者に報知する。
【００５４】
制御部３０による報知方法を説明する。制御部３０は、図１８に示すように、第１画像６１のガイダンス表示エリア６３に「２０：３０に自動締めを実施します。それまでに必要分の入金を確定して下さい。」と言う警告表示を表示させる。また、自動締め処理の開始前に入金をするための予約設定（以下、入金予約設定）を行うための操作画像（以下、入金予約操作画像６６とも呼ぶ）を、ガイダンス表示エリア６３に表示する。
【００５５】
説明を図１６に戻す。締め処理開始時刻が接近していることを利用者に報知した後、制御部３０は、利用者が入金予約設定の操作を行ったか否かの判断をする（ステップＳ３０８）。具体的には、利用者が入金予約操作画像６６（図１８参照）に従ってキー入力部２６の「＊」キーを操作すると、制御部３０は、以下に説明する図１９の認証用指示画像を画面表示部２２に表示する。認証用指示画像の指示に従って利用者が行う操作によって、制御部３０は、利用者による入金予約設定の有無について判断をする。
【００５６】
図１９は、認証用指示画像を示す説明図である。図示するように、制御部３０は画面表示部２２に認証用指示画像を表示することによって、利用者の入金用カード５１をカード読取部２３にセットするか、入金用カード５１のカードＮＯをキー入力部２６によって入力するか、もしくは、キャンセルボタンを操作するかのいずれかの操作を利用者に行うように指示する。
【００５７】
利用者が、入金用カード５１をカード読取部２３にセットした場合、または、キー入力部２６を介して入金用カード５１のカードＮＯを入力した場合には、制御部３０は、入金予約設定が行われたと判断し（ステップＳ３０８：ＹＥＳ）、入金予約設定を行った利用者の入金用カード５１のカードＮＯを入金予約リストとして登録する（ステップＳ３１０）。入金予約リストは、制御部３０が備えるハードディスク（図示省略）に格納されている。入金予約リストには、入金予約設定を行った利用者の入金用カード５１のカードＮＯが記録されている。
【００５８】
制御部３０は、利用者が入金予約操作画像６６（図１８参照）に従って「Ｃ」キーを操作した場合には、入金予約リストに対応する入金予約者一覧画像を画面表示部２２に表示する。図２０は、入金予約者一覧画像を示す説明図である。入金予約者一覧画像には、入金予約リストに対応する入金予約設定者のカードＮＯが表示されている。
【００５９】
ステップＳ３１２（図１６参照）において、利用者が入金予約操作画像６６（図１８参照）に従ってキー入力部２６が備えるキャンセルボタンを操作した場合（ステップＳ３１２：ＹＥＳ）、制御部３０は、入金予約リストから、キャンセルボタンを操作した利用者の入金用カード５１のカードＮＯを削除する（ステップＳ３１４）。
【００６０】
具体的には、利用者がキャンセルボタンを操作すると、制御部３０は、図２１の入金予約キャンセル用画像を画面表示部２２に表示させる。図２１は、入金予約キャンセル用画像を示す説明図である。図示するように、制御部３０は、入金予約キャンセル用画像を表示することによって、利用者の入金用カード５１をカード読取部２３にセットするか、入金用カード５１のカードＮＯをキー入力部２６によって入力するか、もしくは、キャンセルボタンを操作するかのいずれかの操作を利用者に行うように指示する。利用者が入金用カード５１のセットまたはカードＮＯの入力を行った場合には、制御部３０は、入金予約リストから利用者の入金用カード５１のカードＮＯを削除する。
【００６１】
制御部３０は、利用者が入金の操作を行った場合には（ステップＳ３１６：ＹＥＳ）、入金処理を行う（ステップＳ３１８）。実施例３における入金処理は、図１５について説明した処理内容における「遅延リスト」を、「入金予約リスト」に置き換えた処理である。入金処理の詳細については、図１５で説明したので省略する。
【００６２】
制御部３０は、規定締め時刻になると（ステップＳ３２０：ＹＥＳ）、入金予約リストを読み込み、入金予約リストへの登録件数が０件であるか確認する（図１７：ステップＳ３２４）。入金予約リストへの登録件数が０件の場合（ステップＳ３２４：ＹＥＳ）、制御部３０は自動締め処理を実行し、第１画像６１の表示を通常の表示（図５参照）に戻す（ステップＳ３４４）。
【００６３】
一方、入金予約リストに入金予約設定をした利用者の入金用カード５１のカードＮＯが登録されている場合（ステップＳ３２４：ＮＯ）、制御部３０は、画面表示部２２の表示を締め処理開始時刻が遅延中であることを示す図２２の延長中画像に切り替える。図２２は、延長中画像を示す説明図である。延長中画像には、締め処理の開始を遅延させていること、および、入金予約者に入金を確定させる旨を指示する内容が表示されている。また、制御部３０は、延長中画像の背景色を待ち受け用の第１画像６１（図５参照）と異なる色に設定する。延長中画像の背景色を待ち受け用の第１画像６１と異なる色に設定することによって、締め処理開始時刻が延長中であることを利用者に対して認識しやすくする。
【００６４】
その後、制御部３０は、利用者から新たな入金予約設定の操作がされた場合（図１７：ステップＳ３２８：ＹＥＳ）、入金予約設定を行った利用者の入金用カード５１のカードＮＯを入金予約リストに登録する（ステップＳ３３０）。
【００６５】
制御部３０は、利用者から入金予約設定のキャンセル操作があった場合には（ステップＳ３３２：ＹＥＳ）、キャンセル操作を行った利用者の入金用カード５１のカードＮＯを入金予約リストから削除する（ステップＳ３３４）。その後、利用者が入金操作を行った場合（ステップＳ３３６：ＹＥＳ）、制御部３０は、入金処理を行う（ステップＳ３３８）。入金処理については、ステップＳ３１８と同様の処理であるので説明は省略する。
【００６６】
制御部３０は、遅延上限時刻になるまで遅延リストに登録されている利用者の登録件数が０件になっていないか監視する（ステップＳ３４０：ＮＯ→ステップＳ３４２）。遅延上限時刻前で、かつ、入金予約リストへの登録件数が０件でない場合には（ステップＳ３４２：ＮＯ）、制御部３０は、ステップＳ３２８から処理を繰り返し行う。
【００６７】
一方、遅延上限時刻になった場合（ステップＳ３４０：ＹＥＳ）、または、遅延上限時刻前で入金予約リストへの登録件数が０件である場合（ステップＳ３４２：ＹＥＳ）、制御部３０は、自動締め処理を実行する（ステップＳ３４４）。自動締め処理についてはステップＳ１１０（図４）において説明したので説明を省略する。その後、制御部３０は締め制御処理を終了し、第１画像６１の表示を通常の表示（図５参照）に戻す。
【００６８】
以上説明したように、第３実施例の売上金入金機２０は、入金予約設定を行った全ての利用者の入金が終了するまで、締め処理開始時刻を延長する。そして、入金予約リストへの登録件数が０件になると自動締め処理を開始する。従って、締め処理開始時刻を必要以上に延長することを抑制することができる。
【００６９】
予め設定された締め処理開始時刻までに利用者による入金が間に合わない場合でも、入金予約設定を行うことにより、締め処理開始時刻に入金を間に合わせることが可能となり、当日の売上げ金を当日の締めとして集計することを可能にする。
【００７０】
制御部３０は、締め処理開始時刻を遅延させている期間に、さらに利用者から入金予約設定を受け付けた場合には、入金予約リストに入金予約設定を行った利用者のカードＮＯを登録する。従って、締め処理開始時刻までに入金予約設定操作を行うことができなかった利用者であっても、締め処理開始時刻の遅延中に入金予約設定を行うことで、当日の自動締め処理に間に合うように入金を行うことができる。
【００７１】
また、制御部３０は、締め処理の開始時刻の３０分前に締め処理開始時刻の接近を報知し、利用者に対して締め処理開始時刻を認識させることができる。従って、売上金入金機２０は、利用者による売上金入金機２０への入金が、自動締め処理が実行される時刻に遅れることを抑制することができる。
【００７２】
[変形例]
なお、この発明は上記の実施形態や実施形態に限られるものではなく、その要旨を逸脱しない範囲において種々の態様において実施することが可能であり、例えば次のような変形も可能である。
【００７３】
・変形例１：
上記実施例２および実施例３においては、一部の利用者が遅延設定または入金予約設定を行うことにより、利用者全員分の入金に対する締め処理が遅延するとしたが、本来の自動締め時刻に一度締め処理を行い、遅延設定または入金予約設定を行った利用者による入金に対する締め処理を、別途、遅れて行うとしてもよい。この場合も、制御部３０は、締め処理開始時刻の所定時間前に、利用者に対して、自動締め時刻が接近していることを報知する。このようにしても、自動締め処理が開始される前に利用者に対して締め処理開始時刻を認識させることができる。従って、制御部３０は、利用者による売上金入金機２０への入金が、自動締め処理が開始される締め処理開始時刻に遅れることを抑制しつつ、遅延操作に関係の無い利用者の締めについては、本来の締め時刻に実施することができる。
【００７４】
・変形例２：
上記実施例２および実施例３においては、入金用カード５１を用いた認証を行うことにより、利用者が遅延設定操作および入金予約設定操作を行うことを可能としたが、他の認証手段を採用するとしてもよい。例えば、管理者のみが保有するパスワードの入力を、遅延設定操作および入金予約設定操作を行うための条件にするとしてもよい。このようにすることで、装置管理者の承認の下に、締め処理開始時刻を遅らせる処理内容とすることができる。
【００７５】
・変形例３：
実施例２においては、締め処理開始時刻を、予め定めた単位時間ずつ延長可能としたが、利用者が延長する時間（時刻）を設定可能としてもよい。
【００７６】
・変形例４：
上記実施例においては、締め処理開始時刻が接近している場合の報知手段として、画面表示部２２に警告表示（図６参照）を表示させるとしたが、他の報知方法を採用するとしてもよい。その他の報知方法として、例えば、制御部３０は、ガイダンス表示エリア６３に表示させた案内を音声としてスピーカー部２９から出力させるとしてもよい。制御部３０は、イントラネットを介して端末１６、端末１７が備える表示部に、ガイダンス表示エリア６３に表示させた案内表示を表示させるとしてもよい。制御部３０は、利用者が携帯する携帯端末（例えば携帯電話）に、締め処理開始時刻が接近している旨のメールを送信するとしてもよい。制御部３０は、警告ランプによって報知するとしてもよい。このように、種々の警告手段を採用することができる。例えば、制御部３０が、イントラネットを介して端末１６、端末１７が備える表示部に、ガイダンス表示エリア６３に表示させた案内表示を表示させる場合、利用者は締め処理開始時刻に関する案内を直接的に認識することができる。
【００７７】
・変形例５：
売上金入金機２０が備える機能の一部を、サーバー１４、端末１６、または、別途用意した制御装置が備えるとしてもよい。サーバー１４が備える機能の一部を、売上金入金機２０または端末１６が備えるとしてもよい。端末１６が備える機能の一部を、売上金入金機２０またはサーバー１４が備えるとしてもよい。
【符号の説明】
【００７８】
１０…売上金入金システム
１２…店舗
１３…通信網
１４…サーバー
１５…通信装置
１６，１７…端末
２０…売上金入金機
２２…画面表示部
２３…カード読取部
２４…紙幣入金口
２５…硬貨入金口
２６…キー入力部
２７…紙幣収容部
２８…硬貨収容部
２９…スピーカー部
３０…制御部
３１…主制御部
３２…画面制御部
３３…キー入力処理部
３４…紙幣制御部
３５…硬貨制御部
３６…音声制御部
３７…カードデータ処理部
３８…通信制御部
５１…入金用カード
５２…締め用カード
６１…第１画像
６２…案内表示
６３…ガイダンス表示エリア
６４…遅延操作画像
６６…入金予約操作画像
【図１】
2015001806.tif 000003
【図２】
2015001806.tif 000004
【図３】
2015001806.tif 000005
【図４】
2015001806.tif 000006
【図５】
2015001806.tif 000007
【図６】
2015001806.tif 000008
【図７】
2015001806.tif 000009
【図８】
2015001806.tif 000010
【図９】
2015001806.tif 000011
【図１０】
2015001806.tif 000012
【図１１】
2015001806.tif 000013
【図１２】
2015001806.tif 000014
【図１３】
2015001806.tif 000015
【図１４】
2015001806.tif 000016
【図１５】
2015001806.tif 000017
【図１６】
2015001806.tif 000018
【図１７】
2015001806.tif 000019
【図１８】
2015001806.tif 000020
【図１９】
2015001806.tif 000021
【図２０】
2015001806.tif 000022
【図２１】
2015001806.tif 000023
【図２２】
2015001806.tif 000024